(57)【要約】【課題】主制御基板を分離した状態で、また主制御基板を接続した状態でも、所定の電気部品（スイッチ類やセンサ類等）の異常を電気回路基板に設けた異常報知手段で報知するようにして、所定の電気部品を簡単に検査できて検査負荷を著しく軽減することができる遊技機を提供する。【解決手段】複数の電気回路基板の特定の中央分電基板７１をその他の少なくとも１つの電気回路基板に電気的に接続すると共に、中央分電基板７１に所定の電気部品の異常を、点灯又は消灯して報知するＬＥＤを含む異常報知回路１００　を設け、この異常報知回路１００　は、主制御基板を複数の電気回路基板から分離した状態で作動可能に構成されている。【選択図】　図７
2004121647.tif 000002
【特許請求の範囲】
【請求項１】
遊技操作に関連して遊技者に有利な利益状態を発生させるか否かの抽選処理を実行してその抽選結果に基づいて遊技制御を行う主制御基板と、この主制御基板に直接的又は間接的に電気的に接続される複数の電気回路基板とを備えた遊技機において、
前記複数の電気回路基板の特定の電気回路基板をその他の少なくとも１つの電気回路基板に電気的に接続すると共に、前記特定の電気回路基板に所定の電気部品の異常を報知する異常報知手段を設け、
この異常報知手段は、前記主制御基板を前記複数の電気回路基板から分離した状態で作動可能に構成されたことを特徴とする遊技機。
【請求項２】
前記異常報知手段は、前記主制御基板を前記複数の電気回路基板に接続した状態でも作動可能に構成されたことを特徴とする請求項１に記載の遊技機。
【請求項３】
前記所定の電気部品は、前記特定の電気回路基板に接続されるスイッチ類又はセンサ類であることを特徴とする請求項１又は２に記載の遊技機。
【請求項４】
前記特定の電気回路基板は、前記主制御基板又は他の制御基板に接続される電気信号線の中継を行う中継基板であることを特徴とする請求項１〜３の何れかに記載の遊技機。
【請求項５】
前記特定の電気回路基板は、前記主制御基板に直接的又は間接的に接続されると共に前記所定の電気部品が接続される副制御基板であることを特徴とする請求項１〜３の何れかに記載の遊技機。
【請求項６】
前記異常報知手段は、前記所定の電気部品が作動状態又は非作動状態のときに発光する発光体を有することを特徴とする請求項４又は５に記載の遊技機。
【発明の詳細な説明】
【０００１】
【発明の属する技術分野】本発明は遊技機に関し、特に、主制御基板に直接的又は間接的に電気的に接続される特定の電気回路基板に、所定の電気部品の異常を報知する異常報知手段を設けたものに関する。
【０００２】
【従来の技術】従来、スロットマシンで遊技する場合、メダルを１〜３枚投入してスタートスイッチを操作すると３つのリールが回転を開始し、次に、３つのストップスイッチを押して回転する３つのリールを停止させる。停止した３つのリールの複数（例えば、３行３列計９個）の図柄が表示窓に表示され、これら図柄の組合せが入賞態様になった場合に、賞としてメダルが付与されたり、通常遊技状態よりも遊技者に有利な特別遊技状態（利益状態）が発生する。
【０００３】
スロットマシンに設けられた主制御基板において、基本的にメダルが投入された状態でスタートスイッチが操作された時に、特別遊技状態を発生させるか否かの抽選が行われると共に、その抽選結果に基づいて遊技制御が行われる。例えば、前記抽選で当選した場合には、特別遊技状態が発生する入賞態様が表示窓に表示可能となるようにリールの停止制御が行われる。
【０００４】
以上のような遊技が可能なスロットマシンには、スイッチ類及びセンサ類として、前記スタートスイッチやストップスイッチの他に、投入されたメダルを計数する為のメダル投入スイッチ、リールの回転位置を検出する為のリール位置検出センサが設けられている。また、払い出されたメダルを計数する為のメダル払出センサや、前記抽選の確率を変更する為の設定キースイッチ等、その他種々のスイッチ類やセンサ類が設けられている。
【０００５】
ところで、工場で組み立てられたスロットマシンは、不正防止のために主制御基板を組み付けない状態で出荷されるが、その出荷前に、スイッチ類及びセンサ類が正常に作動するかどうかを検査する必要がある。従来、スロットマシンの主制御基板が取り外された状態で、その主制御基板と接続する複数の電気信号線に検査用基板を接続し、この検査用基板を用いてスイッチ類及びセンサ類を検査する技術は周知である（例えば、特許文献１参照）。
【０００６】
【特許文献１】
特開平１４−１１３１５９号公報
【０００７】
【発明が解決しようとする課題】前記特許文献１のように、スロットマシンのスイッチ類及びセンサ類の検査を検査用基板を用いて行う場合、主制御基板と接続する複数の電気信号線に検査用基板を接続しなければならないし、検査終了後もまた検査用基板を取り外さなければならず、この検査用基板の着脱が面倒であり検査負荷が著しく大きい。
【０００８】
スロットマシンの出荷後、そのスロットマシンが遊技ホールに設置された状態で、スイッチ類及びセンサ類の検査要請がある。この場合、前記検査用基板を用いて行うのであれば、上記同様に検査負荷が著しく大きく、結局、スイッチ類及びセンサ類が正常に作動しているかどうか簡単に検査できない。尚、スロットマシンのスイッチ類やセンサ類が正常に作動しない状態で遊技が行われると、誤作動による遊技者又は遊技ホールの損失が生じて迷惑がかかる虞がある。
【０００９】
本発明の目的は、主制御基板を分離した状態で、また主制御基板を接続した状態でも、所定の電気部品（スイッチ類やセンサ類等）の異常を電気回路基板に設けた異常報知手段で報知するようにして、所定の電気部品を簡単に検査できて検査負荷を著しく軽減することができる遊技機を提供することである。
【００１０】
【課題を解決するための手段】本願の遊技機は、遊技操作に関連して遊技者に有利な利益状態を発生させるか否かの抽選処理を実行してその抽選結果に基づいて遊技制御を行う主制御基板と、この主制御基板に直接的又は間接的に電気的に接続される複数の電気回路基板とを備えた遊技機において、前記複数の電気回路基板の特定の電気回路基板をその他の少なくとも１つの電気回路基板に電気的に接続すると共に、前記特定の電気回路基板に所定の電気部品の異常を報知する異常報知手段を設け、この異常報知手段は、前記主制御基板を前記複数の電気回路基板から分離した状態で作動可能に構成されたものである。
【００１１】
ここで、前記異常報知手段は、前記主制御基板を前記複数の電気回路基板に接続した状態でも作動可能に構成されてもよい。前記所定の電気部品は、前記特定の電気回路基板に接続されるスイッチ類又はセンサ類であってもよい。前記特定の電気回路基板は、前記主制御基板又は他の制御基板に接続される電気信号線の中継を行う中継基板であってもよい。
【００１２】
前記特定の電気回路基板は、前記主制御基板に直接的又は間接的に接続されると共に前記所定の電気部品が接続される副制御基板であってもよい。前記異常報知手段は、前記所定の電気部品が作動状態又は非作動状態のときに発光する発光体を有するものであってもよい。
【００１３】
【発明の実施の形態】以下、本発明の実施の形態について図面を参照しながら説明する。本実施形態は、遊技媒体であるメダルを１〜３枚投入した状態で、リール回転開始スイッチを操作して３つのリールを回転させ、３つのリール停止スイッチを順次操作して回転する３つのリールを順次停止させて各ゲームを行うスロットマシンに、本発明を適用した場合の一例である。
【００１４】
図１〜図３に示すように、スロットマシン１は収容ケース２を備え、収容ケース２の内部に第１〜第３リール３〜５が収容され、各リール３〜５の外周面に複数（例えば、２１個）の複数種類の遊技図柄（例えば、「７」、「ＢＡＲ」、「ベル」、「Ｒ」等）が印されている。収容ケース２は、遊技ホールの島構造体（図示略）に取付けられる前方開放状のケース本体６と、ケース本体６に枢支されてケース本体６の前側を開閉可能な開閉ドア７とを有する。
【００１５】
図１に示すように、開閉ドア７の上部には、上部ランプ１０，１１と演出表示部１２が設けられ、中段部分には前方へ張出す中段フレーム１３が設けられ、演出表示部１２と中段フレーム１３との間に表示パネル１４が設けられている。表示パネル１４には、リール３〜５の前側に３つの表示窓１５が形成され、各表示窓１５には、回転するリール３〜５の複数の遊技図柄が変動表示され、また、停止したリール３〜５の３つの遊技図柄が停止表示される。
【００１６】
表示パネル１４には、表示窓１５の左側に、５つのメダル投入枚数表示ランプ１６〜２０とスタート表示ランプ２１が設けられ、表示窓１５の右側に、ビッグ確定表示ランプ２２、レギュラー確定表示ランプ２３、リプレイ表示ランプ２４、ウェイト表示ランプ２５、インサート表示ランプ２６が設けられている。表示パネル１４には、表示窓１５の下側に、貯留枚数表示部２７、特別遊技表示部２８、付与枚数表示部２９が設けられている。
【００１７】
中段フレーム１３の上面部側には、貯留メダル精算スイッチ３０、１枚投入用のメダル投入１スイッチ３１、ＭＡＸ（３枚）投入用のメダル投入２スイッチ３２、メダル投入口５５が設けられ、中段フレーム１３の前面部側には、リール回転開始スイッチ３３、第１〜第３リール停止スイッチ３４〜３６が設けられている。開閉ドア７の下部にはスピーカ５０とメダル払出口５１が設けられ、メダル払出口５１の下側にメダル受け皿５２が設けられている。
【００１８】
図２、図３に示すように、ケース本体２の内部には、その中段部分に第１〜第３リール３〜５を含むリールニット６０が設けられ、リールニット６０の下側にメダル払出装置６４が設けられ、メダル払出装置６４の左側に電源装置６７が設けられ、また、リールユニット６０の上側に主基制御板７０が設けられている。
【００１９】
図２、図３、図４に示すように、リールユニット６０は、第１〜第３リール３〜５、リール中継基板７２、第１〜第３リール基板７３〜７５、第１〜第３リールモータ６１〜６３、第１〜第３リールセンサ４０〜４２、リールランプ中継基板７６、第１〜第３リールランプ中継基板７７〜７９、第１〜第３リールランプ基板８０〜８２とを有する。
【００２０】
図２、図６に示すように、メダル払出装置６０は、メダルホッパー６５、ブレーキ基板８３、ホッパーモータ６６、メダル払出センサ４７を有する。
電源装置６７は電源基板８４を有し、この電源基板８４に外部からＡＣ　１００Ｖが供給されると共に、この電源基板８４には、電源スイッチ６８、設定キースイッチ４３、リセットスイッチ４４、自動精算スイッチ４５、打止めスイッチ４６が実装されている。
【００２１】
また、ケース本体２の内部には、上記リールユニット６０とメダル払出装置６４と電源装置６７の基板７２〜８４を含む複数の電気回路基板７１〜９３（図４〜図６参照）が設けられ、そのうち、特に、本発明の特定の電気回路基板としての中継基板である中央分電基板７２は、図２、図３に示すように、リールユニット６０の上側においてケース本体６の左側壁の右内面に取り付けられている。
【００２２】
主制御基板７０及び複数の電気回路基板７１〜９３は図４〜図６に示すように電気的に接続されている。このように、主制御基板７０には、中央分電基板７１と音声ランプ基板８７が直接的に電気的に接続され、それ以外の電気回路基板基板７２〜８６，８８〜９３が間接的に電気的に接続されている。中央分電基板７１に直接的又は間接的に電気的に接続される、第１〜第３リール基板７３〜７５、ランプ中継基板８５、メダル投入センサ基板８３、電源基板８４が、本発明の中央分電基板７１の他の少なくとも１つの電気回路基板に相当する。
【００２３】
そして、第１〜第３リール基板７３〜７５に第１〜第３リールセンサ４０〜４２が夫々直接的に接続され、ランプ中継基板８５に、第１〜第３リール停止スイッチ３４〜３６、リール回転開始スイッチ３３、貯留メダル投入１スイッチ３１、貯留メダル投入２スイッチ３２、貯留メダル精算スイッチ３０、リセットスイッチ３７が直接的に接続され、メダル投入センサ基板８６に、メダル投入１センサ３８、メダル投入１センサ３９が直接的に接続され、電源基板６７に、設定キースイッチ４３、リセットスイッチ４４、自動精算スイッチ４５、打止めスイッチ４６が直接的に接続されている。
【００２４】
中央分電基板７１は、主制御基板７０⇔第１〜第３リールセンサ４０〜４２との電気信号線を中継し、主制御基板７０⇔リール回転開始スイッチ３３、貯留メダル投入１スイッチ３１、貯留メダル投入２スイッチ３２、貯留メダル精算スイッチ３０、リセット２スイッチ３７との電気信号線を中継し、リール中継基板７２⇔リール停止スイッチ３４〜３６との電気信号線を中継し、主制御基板７０⇔設定キースイッチ４３、リセットスイッチ４４、自動精算スイッチ４５、打止めスイッチ４６、メダル払出しセンサ４７との電気信号線を中継する。
【００２５】
ここで、スロットマシン１の遊技について簡単に説明する。
貯留メダル精算スイッチ３０を操作して、貯留モードと非貯留モードの何れかに切換えることができる。貯留モードのときにはメダルを所定枚数（例えば、５０枚）まで貯留することができる。ゲームの開始にあたって、遊技者は１〜３枚のメダルをメダル投入口５５から直接投入するか、メダルの貯留がある場合は、メダル投入１又は２スイッチ３１又は３２を操作して、その貯留枚数の中から１枚又は３枚のメダルを投入する。メダル投入口５５から投入されたメダルは第１，第２メダル投入サセンサ３８，３９により検出される。
【００２６】
１〜３枚のメダルが投入された状態で、遊技者がリール回転開始スイッチ３３を操作すると、リール３〜５が回転を開始し、その後、リール停止スイッチ３６〜３８を操作すると対応するリール３〜５が停止する。リール３〜５が全て回転停止したとき、表示窓１５に表示される遊技図柄の組合せが有効となり、その遊技図柄の組合せが、大当り態様（例えば、「７・７・７」」が有効ライン状に揃う態様）、小当り態様（例えば、「ＢＡＲ・ＢＡＲ・ＢＡＲ」が有効ライン上に揃う態様）、小役態様（例えば、「ベル・ベル・ベル」が有効ライン上に揃う態様）、再遊技態様（例えば、「Ｒ・Ｒ・Ｒ」が有効ライン上に揃う態様）、これらの態様以外の外れ態様、の何れかになる。
【００２７】
例えば、大当り態様「７・７・７」と小当り態様「ＢＡＲ・ＢＡＲ・ＢＡＲ」が成立した場合は１５枚のメダルが付与され、小役態様「ベル・ベル・ベル」が成立した場合は１０枚のメダルが付与され、再遊技態様「Ｒ・Ｒ・Ｒ」が成立した場合は、メダルを投入することなく今回のゲームと同じ枚数のメダルで次ゲームが再遊技可能になる。
【００２８】
また、大当り態様「７・７・７」が成立した場合には、１５枚のメダル付与に加えて、その後複数ゲームに亙って遊技者に有利な〔ビッグボーナス〕とな特別遊技状態が発生し、小当り態様「ＢＡＲ・ＢＡＲ・ＢＡＲ」が成立した場合にも、１５枚のメダル付与に加えて、〔ビッグボーナス〕よりも程度は低いが、その後複数ゲームに亙って遊技者に有利な〔レギュラーボーナス〕が発生する。
【００２９】
ところで、１枚〜３枚のメダルが投入された状態で、リール回転開始スイッチ３３が操作された時、主制御基板７０において、そのリール回転開始信号を受けて、大当り態様、小当り態様、小役態様、再遊技態様、外れ態様の何れかの成立を許可するか否かの抽選、つまり、遊技者に有利な利益状態（特別遊技状態）を発生させるか否かの抽選処理が行われる。
【００３０】
そして、この抽選で当選した場合、大当り態様又は小当り態様が成立可能に、第１〜第３リール３〜５の回転停止制御が行われる。第１〜第３リール３〜５を回転駆動する第１〜第３リールモータ６１〜６３はステッピングモータであり、第１〜第３リール６１〜６３の原点位置を検出するために第１〜第３リールセンサ４０〜４２（例えば、リール３〜４に固定されたエンコーダディスクとそれを挟むフォトインタラプタからなる）が設けられている。前記抽選の確率については、例えば、設定１〜設定６の６段階で変更可能に構成され、この設定変更を、遊技ホール側が設定キースイッチ４３とリセットスイッチ４４を操作して行うことができる。
【００３１】
尚、自動精算スイッチ４５は、［ビッグボーナス］の終了後に、貯留されているメダルを自動的に精算し払い出すモードに切り換える為のスイッチであり、打止めスイッチ４６は、［ビッグボーナス］の終了後に、何らかのキー操作があるまで遊技不能とするモードに切り換える為のスイッチである。また、リセット２スイッチ３７は、各種エラーのリセット及び設定切り換えの為のスイッチである。また、外部集中端子９３に外部打止め解除信号が入力されると、［ビッグボーナス］等の終了後になる打止め状態が解除される。
【００３２】
さて、図７は、中央分電基板７１の電気回路図を示している。９０は主制御基板７０に接続される主制御基板側端子群、９１はリールユニット６０のリール中継基板７２に接続されるリール中継基板側端子群、９２はランプ中継基板８５に接続されるランプ中継基板側端子群、９３は電源装置６７の電源基板８４に接続される電源基板側端子群である。
【００３３】
この中央分電基板７１に、所定の電気部品としての、貯留メダル精算スイッチ３０、貯留メダル投入１スイッチ３１、貯留メダル投入２スイッチ３２、リール回転開始スイッチ３３、第１〜第３リール停止スイッチ３４〜３６、リセット２スイッチ３７、第１，第２メダル投入センサ３８，３９、第１〜第３リールセンサ４０〜４２、設定キースイッチ４３、リセットスイッチ４４、自動精算スイッチ４５、打止めスイッチ４６、メダル払出しセンサ４７の異常を報知する本願特有の異常報知回路１００　（異常報知手段）が設けられている。
【００３４】
この異常報知回路１００　は、前記スイッチ類及びセンサ類及び外部打止め解除信号の電気信号線を中継する為の１９本の中継線１０１　〜１１９　に一端部が接続されて並列的に設けられた１９本の分岐線１２１　〜１３９　と、これら分岐線１２１　〜１３９　に夫々設けられた発光体であるＬＥＤ１〜１９（発光ダイオード）及び抵抗Ｒ１〜Ｒ１９とを有し、この１９本の中継線１２１　〜１３９　の他端部に所定電圧（例えば、＋５Ｖ）を印加して構成されている。
【００３５】
この異常報知回路１００　は、主制御基板７０を中央分電基板７１（複数の電気回路基板７１〜９３）から分離した状態で作動可能に、また、主制御基板７０を中央分電基板７１（複数の電気回路基板７１〜９３）に接続した状態でも作動可能に構成され、前記所定の電気部品が作動状態又は非作動状態のときに、ＬＥＤ１〜１９が発光（点灯）するようになっている。
【００３６】
図８に示すように、中央分電基板７１の少なくとも表面側はカバー７１ａで覆われており、そのカバー７１ａを通してＬＥＤ１〜ＬＥＤ１９が外部から認識可能に縦一列状に配列され、カバー７１ａには、ＬＥＤ１〜ＬＥＤ１９に対応付けて、所定の電気部品名等が記載された表示部７１ｂが設けられている。図９は、ＬＥＤ１〜ＬＥＤ１９に対応する電位部品名、電気部品が通常状態でのＬＥＤ１〜ＬＥＤ１９の様態（点灯又は消灯）、電気部品が作動状態でのＬＥＤ１〜ＬＥＤ１９の様態（点灯又は消灯）、ＬＥＤ１〜ＬＥＤ１９に対応する点検箇所を記した図表である。
【００３７】
例えば、第１リール停止スイッチ３４が操作されない通常状態ではＬＥＤ１５が消灯しており、第１リール停止スイッチ３４が操作されてＬＥＤ１５が点灯すると、第１リール停止スイッチ３４が作動していることとなり、ＬＥＤ１５に対応する点検箇所が正常であることが確認される。即ち、第１リール停止スイッチ３４が操作されてもＬＥＤ１５が点灯しなければ、第１リール停止スイッチ３４が作動していないこととなり、ＬＥＤ１５に対応する点検箇所が異常であることが確認される。
【００３８】
ここで、異常報知回路１００　において、例えば、ＬＥＤ１５に対応する回路について、図１１に基づいて詳細に説明する。尚、その他のＬＥＤ１〜ＬＥＤ１４、ＬＥＤ１６〜ＬＥＤ１９に対応する回路についても略同等であるので詳細な説明を省略する。
【００３９】
図１１に示すように、中央分電基板７１に主制御基板７０と第１リール停止スイッチ３４を中継する中継線１１５　設けられ、この中継線１１５　に分岐線１３５　が並列的に接続されている。この分岐線１３５　にＬＥＤ１５と抵抗Ｒ１５が直列状に設けられ、これらＬＥＤ１５と抵抗Ｒ１５には中継線１１５　に対して５Ｖの電圧が印加されている。第１リール停止スイッチ３４の中央分電基板７１と反対側はアースされている。中央分電基板７１と主制御基板７０とを分離した状態において、第１リール停止スイッチ３４が操作されＯＮになると、ＬＥＤ１５に電流が流れてＬＥＤ１５が点灯する。
【００４０】
主制御基板７０において、中継線１１５　に接続される信号線１１５ａには５Ｖが印加されており、中央分電基板７１と主制御基板７０とを接続した状態においては、停止スイッチ３４がＯＮになると、前記同様、ＬＥＤ１５に電流が流れてＬＥＤ１５が点灯すると共に、主制御基板７０の制御部７０ａにより、第１リール停止スイッチ３４がＯＦＦのときの電圧に対して低下した電圧が検出されて、第１リール停止スイッチ３４がＯＮされたことが検出される。
【００４１】
以上のように、このスロットマシン１によれば、複数の電気回路基板７１〜９３の特定の電気回路基板である中央分電基板７１を、第１〜第３リール基板７３〜７５、ランプ中継基板８５、メダル投入センサ基板８６、電源基板６７に直接的又は間接的に電気的に接続すると共に、中央分電基板７１に所定の電気部品（図９、図１０に示す第１リールセンサ４０、第２リールセンサ４１・・・等々）の異常を報知する異常報知回路１００　を設け、この異常報知回路１００　は、主制御基板７０を中央分電基板７１（複数の電気回路基板７１〜９３）から分離した状態で作動可能に構成した。
【００４２】
従って、工場で組み立てられたスロットマシン１は、不正防止のために主制御基板を組み付けない状態で出荷されるが、例えばその出荷前に、所定の電気部品が正常に作動するかどうか、また、所定の電気部品が接続されている電気系が正常に接続されているかどうか等を簡単に且つ確実に検査できる。依って、スロットマシン１を主制御基板７０と別々に出荷する出荷作業も簡単化できる。
【００４３】
異常報知回路１００　は、主制御基板７０を複数の電気回路基板７１〜９３に接続した状態でも作動可能に構成した。従って、前記出荷前でも、主制御基板７０を複数の電気回路基板７１〜９３に接続した状態で、所定の電気部品が正常に作動するかどうか、また、所定の電気部品が接続されている電気系が正常に接続されているかどうか等を簡単に且つ確実に検査できる。
【００４４】
また、スロットマシン１の出荷後、そのスロットマシン１が遊技ホールに設置された状態で、所定の電気部品の検査要請に応えることができる。つまり、遊技ホール側の店員などでも、前記検査を容易に行うことができ、スロットマシン１の所定の電気部品が正常に作動しない状態で遊技が行われ、誤作動による遊技者又は遊技ホールの損失が生じて迷惑がかかるという虞を極力回避できる。
【００４５】
そして、この異常報知回路１００　は、ＬＥＤ１〜ＬＥＤ１９及び抵抗Ｒ１〜Ｒ１９を有する簡単な構成であり、中央分電基板７１に電気回路を成形する際に簡単に形成でき、また、非常にシンプルな構成で大型化もしないため、コスト的にも有利になり、しかも、汎用性に優れたものになる。
【００４６】
尚、異常報知回路１００　を、中央分電基板７１にではなくて、特定の電気回路基板としての、主制御基板７０に直接的又は間接的に接続されると共に前記所定の電気部品が接続される副制御基板（第１〜第３リール基板７３〜７５、メダル投入センサ基板８６、電源基板８４等）に設けてもよい。
【００４７】
例えば、図１２に示すように、電源基板８４のリセットスイッチ４５に接続された信号線１４０　に分岐線１４１　が並列的に接続され、この分岐線１４１　にＬＥＤ７と抵抗Ｒ７が直列状に設けられ、これらＬＥＤ７と抵抗Ｒ７には信号線１４０　に対して５Ｖの電圧が印加されている。この信号線１４０　が中央分電基板７１を介して主制御基板７０に接続される。
【００４８】
リセットスイッチ４５の中央分電基板７１と反対側はアースされている。中央分電基板７１と主制御基板７０とを分離した状態において、リセットスイッチ４５が操作されＯＮになると、ＬＥＤ７に電流が流れてＬＥＤ７が点灯する。当然、中央分電基板７１と主制御基板７０とを接続した状態においても、リセットスイッチ４５が操作されＯＮになると、ＬＥＤ７に電流が流れてＬＥＤ７が点灯する。尚、その他本発明の趣旨を逸脱しない範囲に種々の変更を負荷して実施可能であり、種々のスロットマシン更にはパチンコ機にも適用可能である。
【００４９】
【発明の効果】以上のように、本願の遊技機によれば、複数の電気回路基板の特定の電気回路基板をその他の少なくとも１つの電気回路基板に電気的に接続すると共に、特定の電気回路基板に所定の電気部品の異常を報知する異常報知手段を設け、この異常報知手段は、主制御基板を前記複数の電気回路基板から分離した状態で作動可能に構成したので、所定の電気部品を簡単に検査できて検査負荷を著しく軽減することが可能になる。
【図面の簡単な説明】
【図１】本発明の実施形態に係るスロットマシンの正面図である。
【図２】スロットマシンの開閉ドアを開けた状態の正面図である。
【図３】スロットマシンの開閉ドアを開けた状態の斜視図である。
【図４】スロットマシンの制御系の一部を示すブロック図である。
【図５】スロットマシンの制御系の一部を示すブロック図である。
【図６】スロットマシンの制御系の一部を示すブロック図である。
【図７】中央分電基板の電気回路図である。
【図８】中央分電基板の側面図である。
【図９】電気部品名と点検項目等を記した図表の前半である。
【図１０】電気部品名と点検項目等を記した図表の後半である。
【図１１】異常報知回路を含む電位回路図である。
【図１２】変更形態に係る異常報知回路を含む電気回路図である。
【符号の説明】
１　　　　　　　スロットマシン
３０〜４７　　　スイッチ類、センサ類
７０　　　　　　主制御基板
７１〜９３　　　電気回路基板
１００　　　　　　　異常報知回路
【図１】
2004121647.tif 000003
【図２】
2004121647.tif 000004
【図３】
2004121647.tif 000005
【図４】
2004121647.tif 000006
【図５】
2004121647.tif 000007
【図６】
2004121647.tif 000008
【図７】
2004121647.tif 000009
【図８】
2004121647.tif 000010
【図９】
2004121647.tif 000011
【図１０】
2004121647.tif 000012
【図１１】
2004121647.tif 000013
【図１２】
2004121647.tif 000014